(57)【要約】【課題】ユーザの身体が障害になっても、その障害が無くなる方向を示すことができる携帯用電子装置を提供する。【解決手段】衛星から無線周波数信号を受信して整形する手段と、いくつかの可視衛星を探索して追跡するためのいくつかの相関チャネルとを含む無線周波数信号受信器と、磁気コンパスと、前記受信器と前記コンパスによって提供されるデータを処理するためのマイクロプロセッサ・データ処理装置と、前記衛星に関連した暦及び衛星軌道データが記憶されている記憶手段とを含み、前記コンパスが前記データ処理装置に方位信号を供給するように構成され、前記データ処理装置によって方向表示手段が制御され、前記電子装置が、前記処理装置による前記暦及び衛星軌道データ、時間データ、前記方位信号の処理に基づいた読み取り位置にある時、可視衛星の探索に望ましい方位がユーザに指示される。【選択図】図２
2006322938.tif 000002
【特許請求の範囲】
【請求項１】
腕時計（１）のような、ユーザの手首に装着される携帯用電子装置であって、衛星（ＳＶ）から無線周波数信号を受信して整形する手段（２）といくつかの可視衛星を探索して追跡するためのいくつかの相関チャネルとを含む無線周波数信号受信器（１３）と、磁気コンパス（１５）と、前記受信器と前記コンパスによって提供されるデータを処理するためのマイクロプロセッサ・データ処理装置（１１）と、前記衛星に関連した暦及び衛星軌道データが記憶されている記憶手段（１２）とを含み、前記携帯用電子装置が、前記マイクロプロセッサ・データ処理装置による、前記暦及び衛星軌道データ、時間データ、前記方位信号の処理に基づいた読み取り位置にある時、可視衛星の探索に望ましい方位をユーザに指示する方向表示手段（６、７）を制御する前記データ処理装置に前記コンパスが方位信号を供給するように構成されることを特徴とする携帯用電子装置。
【請求項２】
前記処理装置が、前記コンパスからの前記方位信号に基づいて、前記電子装置の前記データ読み取り位置で、前記ユーザの身体によって隠されていない可視衛星を探索して追跡するように、受信器を自動的に構成するようになっていることを特徴とする請求項１に記載の携帯用電子装置。
【請求項３】
前記処理装置が、前記コンパスによって供給される前記方位信号の変化を検出して、前記方位信号の変化の関数として、前記ユーザの身体によって隠されていない可視衛星を探索して追跡するように、前記受信器を構成する、または、構成を変更するようになっていることを特徴とする請求項１に記載の携帯用電子装置。
【請求項４】
前記コンパス（１５）が磁束検出器を備えたタイプであることを特徴とする請求項１に記載の携帯用電子装置。
【請求項５】
位置確認モードにおいて、前記方向表示手段が、前記受信器による可視衛星の探索に望ましい方位を指示するために移動させられる、前記電子装置の時間表示針の少なくとも１つによって形成されることを特徴とする、針（７）を利用する時間ディスプレイを備えた電気機械式腕時計である請求項１に記載の携帯用電子装置。
【請求項６】
前記位置確認モードにおいて、２つの時間表示針（７）が、前記処理装置（１１）によって制御され、望ましい方位を指示するため、または、衛星の方向または地理的北を指示するため、互いに重なるか、または、逆向きになることを特徴とする請求項５に記載の携帯用電子装置。
【請求項７】
前記方向表示手段に、とりわけ、位置確認モードにおいて、方位または位置決めに関連したさまざまなデータを表示するため、前記処理装置によって制御される液晶ディスプレイ・モジュール（６）が含まれ、前記電子装置に、時間表示モードから位置確認モードに移行するため、手動で起動させることが可能な制御ボタン（９）が含まれることを特徴とする請求項５または６に記載の携帯用電子装置。
【請求項８】
位置確認モードにおいて前記電子装置の各種機能を制御するため、腕時計ガラス（５）に、タッチ・タイプ・キー（４）が配置され、前記タッチ・タイプ・キーが前記処理装置によって制御されることを特徴とする請求項１及び７に記載の携帯用電子装置。
【請求項９】
衛星（ＳＶ）から無線周波数信号を受信して整形する手段（２）及び可視衛星を探索して追跡するためのいくつかの相関チャネルを含む無線周波数信号受信器（１３）と、磁気コンパス（１５）と、前記受信器と前記コンパスによって提供されるデータを処理するためのマイクロプロセッサ・データ処理装置（１１）と、前記衛星に関連した暦及び衛星軌道データが記憶されている記憶手段（１２）とが含まれている、ユーザの手首に装着される電子装置を利用して、位置を確認する方法であって、
前記コンパスから前記マイクロプロセッサ・データ処理装置に方位信号を供給するステップと、
前記マイクロプロセッサ・データ処理装置において、前記記憶手段の前記暦及び衛星軌道データ、時間データと共に、前記方位信号を処理するステップと、
前記電子装置が、前記処理装置によって処理されたデータに基づく読み取り位置にある時、前記マイクロプロセッサ・データ処理装置によって制御される方向表示手段で、可視衛星の探索に望ましい方位をユーザに指示するステップと
を含むことを特徴とする方法。
【請求項１０】
前記コンパスによって得られる前記方位信号に基づいて、前記電子装置が前記データ読み取り位置にある時、前記受信器が前記ユーザの身体によって隠されない可視衛星を探索して追跡することができるように、前記マイクロプロセッサ・データ処理装置を介して、前記無線周波数信号受信器（１３）を自動的に構成させるステップが含まれることを特徴とする請求項９に記載の方法。
【請求項１１】
前記マイクロプロセッサ・データ処理装置が、前記コンパスによって供給される前記方位信号の変化に基づいて、前記ユーザに装着された前記電子装置の方位の変化を検出し、前記ユーザの身体によって隠されていない可視衛星を探索して追跡するように、前記受信器を構成するか、または、構成を変更することを特徴とする請求項９に記載の方法。
【請求項１２】
前記電子装置が、針を用いる時間ディスプレイを備えた、電気機械式腕時計であり、前記電子装置の制御ボタン（９）を起動することによって位置確認モードが選択されると、方向を指示する前記針が移動して、前記受信器が可視衛星を探索するのに望ましい方位を指示することを特徴とする請求項９に記載の方法。
【請求項１３】
前記位置確認モードにおいて、前記望ましい方位を指示するため、針が重なり合うか、または、逆向きになり、時計文字板の１２時の表示まで前記針の少なくとも一方を移動させて、前記マイクロプロセッサ・データ処理装置によって、前記受信器に対し、最大数の可視衛星を探索して追跡する構成とされるようにするため、前記ユーザが装着する前記電子装置が、前記望ましい方位に対応する決められた角度に回転させられることを特徴とする請求項１２に記載の方法。
【発明の詳細な説明】
【技術分野】
【０００１】
本発明は、無線周波受信器と磁気コンパスを内蔵する、携帯用電子装置に関するものである。この装置は、ユーザに方向または位置データを提供するため、腕時計のように、ユーザの手首に装着可能である。受信器には、衛星無線周波数信号を受信して整形する手段と、いくつかの可視衛星を探索して追跡するためのいくつかの相関チャネルが含まれている。この装置には、受信器及びコンパスによって得られるデータを処理するためのマイクロプロセッサデータ処理装置と、記憶手段も含まれている。記憶手段には、衛星に関連した暦データと衛星軌道データも記憶されている。
【０００２】
本発明は、また、ユーザの手首に装着される電子装置を用いて、位置を確認するための方法に関するものである。
【背景技術】
【０００３】
電子装置の無線周波数信号受信器は、例えば、ＧＬＯＮＡＳＳまたはＧＡＬＩＬＥＯまたはＧＰＳタイプの衛星ナビゲーション・システムに用いることが可能である。
【０００４】
電子装置の無線周波数信号受信器は、ＧＰＳタイプとすることが可能であり、無線周波数信号受信及び整形手段が中間信号を生成し、その中間信号が相関ステージに対して周波数変換される。この相関ステージは、探索され、追跡される衛星からの搬送周波数と特定コード・レプリカを中間信号に相関させるため、中間信号を受信するいくつかの相関チャネルから構成されている。地球上に位置するユーザに装着された電子装置の受信器は可視衛星の数より多い数の相関チャネルを含むことが望ましい。
【０００５】
ＧＰＳシステムの場合、無線周波数信号受信器は、軌道上の衛星からＧＰＳ信号を受信する。受信器と可視衛星との大圏距離は、衛星の１つが天頂にある場合の２０，０００ｋｍと衛星の１つが地球の表面に対する接点上、すなわち、水平線上にある場合の２６，０００ｋｍの間である。
【０００６】
現在、３０の衛星が、地球表面から上方へほぼ２０，２００ｋｍの距離の軌道上において、それぞれ、赤道に対して５５°だけ傾斜した６つの軌道面に配置されている。地球上方の同じ点に戻るため、衛星が軌道上で完全に１回転するのに要する時間は、約１２時間である。軌道上における衛星の分布によって、地上のＧＰＳ受信器は、例えば、その位置、速度、地方時を確認するため、例えば、少なくとも４つの可視衛星からＧＰＳ信号を受信する。ＧＰＳ信号からのＧＰＳメッセージには、とりわけ、Ｘ、Ｙ、Ｚ位置、速度、地方時の計算に用いられる衛星軌道データと暦データが含まれている。
【０００７】
この既知の衛星軌道データと暦データの全てが、携帯用電子装置の記憶手段に記憶されている。従って、ほぼ既知の受信器位置を利用して、探索の瞬間に見えるはずの衛星を探索し、追跡するように前記受信器を構成させることが可能である。
【０００８】
ナビゲーション・システムの場合、到達すべき目標に関する情報を携帯用装置のユーザに提供するため、無線周波数信号受信器に加えて、コンパスの利用が知られている。
【０００９】
これに関して、ＧＰＳ受信器と磁気コンパスが設けられた腕時計を開示した、先行技術文献（例えば、特許文献１参照）を引用することができる。この腕時計の場合、到達すべき地理的目標の座標点を入力して、記憶しなければならない。辿るべき方向を計算するための操作を容易にするため、コンパスによって、主として、地理的北に関するデータが提供される。ＧＰＳ信号とコンパスからのデータの処理後、腕時計のディスプレイ装置によって、所望の目標に到達するために辿るべき方向が表示される。
【００１０】
この場合、コンパスは、腕時計が、到達すべき地理的場所に行くためにとるべき方向に関連した情報をユーザに与えるためだけに利用される。
【００１１】
先行技術文献（例えば、特許文献２参照）には、ナビゲーション・システムの方向指示器として携帯用電子装置を開示している。これを行うにあたり、その装置には、ＧＰＳ受信器と、磁気コンパスが含まれている。ＧＰＳ受信器とコンパスは、方向信号を生成するために処理装置によって処理される信号を発生する。携帯用装置のディスプレイ・スクリーンには、選択された地理的目標に到達するために辿るべき方向を指示する矢印が表示される。
【００１２】
この携帯用電子装置の磁気コンパスには、処理装置に対して、到達すべき地理的場所の方向を表示させる情報を提供する以外の機能はない。
【００１３】
この発明の電子装置はユーザの手首に装着されるので、電子装置が読み取り位置にある時、ユーザの身体が、いくつかの可視衛星からの無線周波数信号を受信する障害物になる可能性がある。これは、探索される可視衛星の多くがユーザの身体によって隠される場合、欠点となる可能性がある。
【００１４】
【特許文献１】米国特許第５，７９０，４７７号明細書
【特許文献２】国際公開第９２／２１９９０号パンフレット
【発明の開示】
【発明が解決しようとする課題】
【００１５】
従って、本発明の主たる目的は、前述の欠点を克服するため、無線周波受信器と、前記受信器を補助するコンパスが設けられた、携帯用電子装置を提供することにある。
【００１６】
本発明のもう１つの目的は、前述の欠点を克服する、ユーザの手首に装着される電子装置を用いて、位置の確認を行うための方法を提案することにある。
【課題を解決するための手段】
【００１７】
従って、本発明は、腕時計のような、ユーザの手首に装着される携帯用電子装置であって、衛星から無線周波数信号を受信して整形する手段と、いくつかの可視衛星を探索して追跡するためのいくつかの相関チャネルとを含む無線周波数信号受信器と、磁気コンパスと、前記受信器と前記コンパスによって提供されるデータを処理するためのマイクロプロセッサ・データ処理装置と、前記衛星に関連した暦及び衛星軌道データが記憶されている記憶手段とを含み、前記コンパスが前記データ処理装置に方位信号を供給するように構成され、前記データ処理装置によって方向表示手段が制御され、前記電子装置が、前記処理装置による前記暦及び衛星軌道データ、時間データ、前記方位信号の処理に基づいた読み取り位置にある時、可視衛星の探索に望ましい方位がユーザに指示されることを特徴とする携帯用電子装置である。
【００１８】
有利な実施形態が、請求項２〜請求項８に定義されている。
【００１９】
本発明によるユーザの手首に装着する電子装置の利点の１つは、装置が読み取り位置にある時、可視衛星のより確実な探索を行うのに望ましい、ユーザの身体に関する方位が指示されるという事実にある。ユーザが、装置を読み取る位置にある時、望ましい方位指示に決まる角度だけ回転すると、その結果、受信器は、多数の可視衛星を探索し、追跡することが可能になる。従って、ユーザは、装置読み取り位置にあるユーザの身体によって隠れる可能性のある可視衛星の数を減少させ、受信器の位置確認を容易にすることになる。
【００２０】
電子装置は、針を使う時間ディスプレイを備えた電気機械式腕時計であることが望ましい。従って、処理装置は、暦及び衛星軌道データ、時間データ、コンパスによって示される方位信号に基づいて、ＧＰＳ受信器のような無線周波数信号受信器で構成することが可能である。
【００２１】
位置確認モードにおいて、無線周波数信号受信器がオンになると、針は、時計の文字板上において、受信器が最大数の可視衛星を捕捉するのに望ましい方向を示すため、互いに重なり合うか、あるいは、逆向きになる。針を移動させて、探索及び追跡可能な最大数の可視衛星が存在する範囲を示すことも可能である。
【００２２】
無線周波数信号受信器は、ユーザの身体によって隠されない可視衛星の探索と追跡だけを行うように、処理装置によって、装置読み取り位置にあるユーザがとる方向の関数として自動的に構成される。
【００２３】
ユーザによるいかなる方向の回転または変化も、コンパスが示す方位信号の変化に基づいて、処理装置によって検出されることが望ましい。装置読み取り位置にあるユーザの回転の関数として、他の可視衛星を探索し、追跡するように、受信器を自動的に構成または再構成させることが可能である。
【００２４】
本発明は、衛星から無線周波数信号を受信して整形する手段と可視衛星を探索して追跡するためのいくつかの相関チャネルとを含む無線周波数信号受信器と、磁気コンパスと、前記受信器と前記コンパスによって提供されるデータを処理するためのマイクロプロセッサ・データ処理装置と、前記衛星に関連した暦及び衛星軌道データが記憶されている記憶手段とが含まれている、ユーザの手首に装着される電子装置を利用して、位置を確認する方法であって、前記コンパスから前記処理装置に方位信号を供給し、前記処理装置において、前記記憶手段の前記暦及び衛星軌道データ、時間データと共に、前記方位信号を処理し、前記電子装置が前記処理装置によって処理されたデータに基づく読み取り位置にある時、前記処理装置によって制御される方向表示手段で可視衛星の探索に望ましい方位をユーザに指示することを特徴とする方法にも関連する。
【００２５】
この方法の特定のステップが、従属クレイム１０〜１３に定義されている。
【００２６】
この携帯用電子装置と、この電子装置を利用する位置確認方法の目的、利点、特徴については、図面に関連した下記の説明においてより明らかになるものと思われる。
【発明を実施するための最良の形態】
【００２７】
以下の説明では、ユーザの手首に着用可能な携帯用電子装置としての腕時計についてのみ言及することにする。本技術分野における当該技術者には周知の、この腕時計のいくつかの構成要素については、簡単な説明しかなされない。もちろん、電子コンポーネントを備えたブレスレットまたはリストバンド、あるいは、手首に装着可能か、または、地理的位置の確認操作中、手で持つことが可能であれば、携帯電話のような、腕時計以外の任意の装置を構想することが可能である。
【００２８】
図１に示すように、位置確認モードの場合、特にＧＰＳタイプの無線周波数信号受信器と磁気コンパスを内蔵した腕時計１がユーザＰの前に配置されている。このモードの場合、受信器のため、腕時計は、地理的位置、速度、高度、または、進行方位を確認することが可能である。この腕時計の文字板は、ユーザの手首に装着されるか、または、その手に持たれた腕時計が示すデータを読み取るためのこの位置において、ほぼ水平位置にある。これにより、図３に関連して後述するように、例えば、その地理的位置を確認するため、受信器のアンテナの軸を垂直方向に配置することが可能になる。
【００２９】
腕時計をユーザの前に配置することにより、ユーザによって、ＧＰＳシステムの視野の一部が遮断される。腕時計から約９０°の角度をなす、視野の斜線で示すゾーンＺｃは、ユーザの身体Ｐによって隠される。従って、例えば高度の低い、受信器によって捕捉されるＧＰＳ信号を供給することが可能な、いくつかの可視衛星ＳＶが、ユーザの身体Ｐによって隠されることになる。
【００３０】
地理的位置の確認には、通常は、少なくとも３つの可視衛星を捕捉できることが必要とされる。図１には、装置の受信器によって、２つ衛星からのＧＰＳ信号だけしか捕捉できないことが示されている。従って、腕時計によって、十分な数の可視衛星からのＧＰＳ信号を捕捉できるようにするのに望ましい、ユーザの身体に関連した、その腕時計の方位がユーザに知らされなければならない。
【００３１】
腕時計には、衛星に関連した暦及び衛星軌道データを記憶する記憶手段が含まれているので、また、日付、時間、ユーザのおおよその位置が分っているので、受信器を備えた腕時計は、捕捉可能な可視ＧＰＳ衛星の相対位置を確認することが可能である。従って、マイクロプロセッサ処理装置によって、ユーザの身体によって隠されない可視衛星ＳＶを探索し追跡するように、受信器を自動的に構成させることが可能である。
【００３２】
図２には、通常、ユーザの手首（不図示）の腕時計のデータを読み取ることが可能な位置に装着される、電気機械式腕時計１の平面図だけが示されている。
【００３３】
リストバンド１０を含む腕時計１は、時間を表示するための文字板８と針７を備えたアナログ・タイプである。腕時計には、ガラス５で閉じられたケース３の、文字板の下に配置された時計のムーブメントと、データまたは実施される操作を表示するための液晶ディスプレイ・モジュールまたは装置６、ガラスの内側表面の制御キー４、ケース上の制御ボタン９も含まれている。ガラス５は、ベゼルによってまたはケース３の胴の上部によって保持されている。ケース３内にある不図示の電池または蓄電池によって、腕時計の電子コンポーネントに電力が供給される。
【００３４】
制御キー４は、それぞれ、起動すべきセンサの決められたゾーンに置かれた、不図示のユーザの指またはスタイラスによって起動させることが可能な、容量タイプ・センサが望ましい。少なくとも１つの、できれば透明な、感知パッドが、各センサまたは制御キーを形成している。
【００３５】
腕時計１には、無線周波数信号受信器と、受信器を補助するための磁気コンパスも含まれており、無線周波数信号受信及び整形手段のアンテナ２が記号として表示されている。
【００３６】
通常の動作モードでは、腕時計１は、針７によって、または、ディスプレイ・モジュール６も利用して、時間データを示す。この通常モードにおいて、無線周波数信号受信器は、電気エネルギ節約措置として、非活動停止モードのままである。
【００３７】
しかし、地理的位置を確認する場合には、無線周波数信号受信器をオンにしなければならない。これを行うには、位置確認モードに入るため、短く、または、ある決まった時間にわたって、手動で制御ボタン９を押す。この位置確認モードにおいて、処理装置によって制御される制御キーが活動状態になり、ディスプレイ・モジュール６上で、さまざまな時計データと計算された位置座標を調べることが可能になる。
【００３８】
制御ボタン９によって制御キー４をオンにし、１つまたはいくつかの制御キーの働きで、受信器をオンにすることによって、位置確認モードを選択できるようにしてもよい。制御キーをユーザの指で起動させ、各種メニューまたは記憶データを調べるか、あるいは、腕時計の各種機能または働きを実行することも可能である。
【００３９】
腕時計が図１に示すユーザの前の読み取り位置に置かれる、その瞬間から、磁気コンパスによって、処理装置に対して方位信号が送られる。この方位信号によって、ユーザの身体によって隠されるのがどの衛星であるかが処理装置に伝えられる。従って、時間データ、方位信号、記憶されている衛星の暦及び衛星軌道データにより、処理装置は、ユーザの身体によって隠されない可視衛星を探索して追跡するように、受信器を自動的に構成させることが可能になる。
【００４０】
この位置確認モードにおいて、針７は腕時計の方向指示手段の一部を形成する。針は、処理装置のコマンドによって回転移動し、図２の平面Ａに参照番号７’の点線で示すように、互いに重なり合う。このモードにおける針の位置７’は、ユーザの身体によって隠されていない最大数の可視衛星を捕捉するためにユーザが採択すべき望ましい方位を指示している。
【００４１】
図２の平面Ａにおいて、重なり合った針は、腕時計の文字板における６時の表示の近くに移動させられているので、これは、腕時計の受信器によって捕捉可能な多数の可視衛星がユーザの身体によって隠されていることをユーザに知らせるものである。ユーザが回転しなければ、処理装置は、隠されていない可視衛星だけを捕捉するように受信器を構成させる。少なくとも３つの信号からのＧＰＳ信号を捕捉できれば、こうして、位置確認の計算が可能になる。
【００４２】
もちろん、この位置確認モードの場合、針７を逆向きの位置にすることもできるし、あるいは、片方の針だけを移動させることも可能である。さらに、制御キー４のどれか１つまたは他を手動操作して、一方の針が、地理的北、または、軌道上の衛星の１つの位置を表示するように選択することも可能である。
【００４３】
最大数の可視衛星を捕捉できるようにするため、ユーザが、ユーザの前のデータ読み取り位置に腕時計を置くと、ユーザは、例えば、図２の平面Ｂに沿った、位置基準７’における針と時計文字板の１２時の表示によって形成される角度に対応する角度だけ回転しなければならない。この回転と、コンパスによって示される方位信号の変化によって、重なり合った針が、参照番号７”の点線で示す、文字板の１２時の表示まで移動する。針が１２時の位置を占めると、処理装置は、自動的に、または、ユーザの要求によって、ユーザの身体によって隠されない可視衛星を探索して追跡するように受信器を構成させることが可能になる。
【００４４】
留意すべきは、処理装置は、ユーザの方位のいかなる重大な変化も検出するという点である。従って、装置は、他の可視衛星を探索して追跡するように、動作中の受信器を再構成することが可能である。さらに、方向指示手段には、地理的位置座標、または、少なくとも１つの可視衛星の位置座標、または、腕時計の記憶手段に記憶されている他の任意のデータを表示することが可能な、ディスプレイ・モジュール６も含まれている。
【００４５】
図３には、図２のラインIII−IIIに沿った腕時計１の断面の概略が示されている。断面図で示す腕時計が詰め込みすぎにならないようにするため、腕時計の重要なコンポーネントとケース内におけるそれらの位置だけが示されている。
【００４６】
腕時計１には、とりわけ、例えば、受信器１３によって得られるデータに基づいて位置を計算するといった、特定のパーソナル化機能を実行するようにプログラムされたマイクロプロセッサ処理装置１１が含まれている。受信器１３には、アンテナ２を介して、衛星から無線周波数信号を受信して整形する手段と、いくつかの可視衛星を探索及び追跡するためのいくつかの相関チャネルが含まれている。相関チャネル数は、例えば、１２チャネルに等しいといったように、可視衛星数を超えるのが望ましい。
【００４７】
マイクロプロセッサ装置１１には、時計の文字板８上で時間表示針７を駆動するマイクロモータ１７を制御するための、時間基準に関連したいくつかのブロックも含まれている。無線周波数信号受信器１３を備えた腕時計の各種動作を刻時するため、マイクロプロセッサ装置１１内には、水晶振動子に接続された発振段が配置されている。
【００４８】
振動周波数は、約４．０３ＭＨｚ程度にすることが可能である。測時機能を刻時するため、この振動周波数を既知の方法で分割して、３２７６８Ｈｚのクロック周波数が得られるようにすることも可能である。腕時計の測時機能のため、振動周波数が３２７６８Ｈｚの別の水晶振動子を発振段に追加することも可能である。
【００４９】
マイクロプロセッサ装置１１は、例えば、スイスのＥＭ  Ｍｉｃｒｏｅｌｅｃｔｒｏｎｉｃ−Ｍａｒｉｎ  ＳＡ製の８ビットＰＵＮＣＨマイクロプロセッサまたは８ビットＣｏｏｌＲＩＳＣ−８１６マイクロプロセッサとすることが可能である。
【００５０】
腕時計１には、さらに、胴３と、既知のやり方で胴３に取り付けられた裏蓋３’から形成され、ガラス５によって閉じられたケースの中に、プリント回路基板１９に接続された磁気コンパス１５が含まれている。磁気コンパスは、機械式コンパスまたは磁気成分束検出に基づくコンパス（フラックスゲート）とすることが可能である。コンパスは、プリント回路基板１９の、処理装置１１と受信器１３と同じ側に配置されているので、処理装置をコンパスや受信器に容易に電気接続することが可能である。しかし、受信器１３のアンテナ２は、２つの素子間における信号妨害を回避するため、磁気コンパスから十分に離れた、プリント回路基板の反対側に配置されている。アンテナ軸は、文字板８の下の腕時計の胴３の内側エッジに保持された、プリント回路基板１９に対してほぼ垂直である。
【００５１】
腕時計１には、腕時計部品の全てに給電するため、腕時計のケースの裏蓋３’に配置された小サイズの蓄電池または電池２１や、文字板のアパーチャを通して見えるように、プリント回路基板１９に取り付けられたＬＣＤディスプレイ・モジュールまたは装置６も含まれている。腕時計ガラス５は、その内側表面に、処理装置１１に電気的に接続された、制御キーの透明感知パッド４が含まれている。
【００５２】
例えば、不図示の制御ボタンを押すと、触覚スクリーンの制御キー４が起動して、マイクロプロセッサ装置１１に信号を送ることが可能になる。例えば、７つの制御キーを設けることが可能であり、その感知パッドは、ユーザの指がそれらを個別に起動できるように、互いに十分な間隔をあけて配置されている。
【００５３】
位置確認モードにおいて、キー４からの信号によって、ディスプレイ・モジュール６に表示すべき各種メニューまたはデータを選択することが可能になり、あるいは、処理装置１１が可視衛星を探索して追跡するように受信器を構成させることが可能になる。
【００５４】
腕時計１の感知パッド及び電子部品の配置に関する補足的な技術的詳細については、参考までに、本明細書において援用されている、同じ出願人の名義による欧州特許第０  ８３８  ７３７号明細書や、Ａｓｕｌａｂ  Ｓ．Ａ．、「Ｍｏｎｔｒｅ  ａｌｔｉｍｅｔｒｅ−ｂｏｕｓｓｏｌｅ  ｐｒｅｓｅｎｔａｎｔ  ｕｎ  ｎｏｕｖｅａｕ  ｃｏｎｃｅｐｔ  ｄ’  ｕｔｉｌｉｓａｔｉｏｎ」、ｔｈｅ  ６４ｔｈ  Ｃｏｎｇｒｅｓｓ  ｏｆ  ｔｈｅ  Ｓｗｉｓｓ  Ｃｈｒｏｎｏｍｅｔｒｙ  Ｓｏｃｉｅｔｙ、１９９９年９月３０日の項目２及び５を参照することが可能である。
【００５５】
図４には、腕時計１のさまざまな電子部品の概略が示されている。留意すべきは、図２、３に示された、腕時計１の同じ部品には、同じ参照番号が付いているという点である。従って、簡略化のため、各部品の説明については反復しない。
【００５６】
従って、この腕時計には、マイクロプロセッサ処理装置１１、マイクロプロセッサ処理装置１１に接続された磁気コンパス１５、処理装置の発振段の水晶振動子１４、ＧＰＳ信号を受信するためのアンテナ２が設けられ、処理装置に接続されたＧＰＳ受信器１３、処理装置によって制御されるディスプレイ装置６が含まれている。腕時計１には、さらに、時計文字板８上の針７を駆動するため、処理装置によって制御されるマイクロモータ１７、制御キー４、実施すべきいくつかの機能を命じるため、処理装置に接続された制御ボタン９が含まれている。
【００５７】
腕時計１の記憶手段は、不揮発性ＥＥＰＲＯＭメモリ１２によって形成されるのが望ましい。このメモリは、処理装置１１に、さらには、受信器１３にも接続されて、処理装置または受信器によって送られてくるデータを記憶する。メモリ１２は、衛星に関連した暦及び衛星軌道データを提供することも可能である。これにより、マイクロプロセッサ装置１１は、時間データ及びコンパス方位信号と共に、この暦データを処理して、どの可視衛星を捕捉できるかを判定することが可能になる。
【００５８】
処理装置１１は、位置確認モードにおいて、針７によって望ましい方位が指示されるようにマイクロモータ１７を制御する。さらに、処理装置１１は、受信器のいくつかの相関チャネルが、ユーザの身体によって隠されない可視衛星を探索して追跡することができるように、無線周波数信号受信器を構成させる。
【００５９】
もちろん、ＧＰＳ無線周波数信号受信器は、とりわけ、同じ出願人による欧州特許出願公開第１  １７９  ５９７号明細書に開示の受信器のように製造することが可能である。こうした場合、受信器の各相関チャネルには、ある特定の可視衛星に関する探索及び追跡オペレーションを実行するためのコントローラや、他のデータ記憶手段を含むことが可能である。
【００６０】
腕時計の位置確認ステップの全てが終了すると、受信器は、電気エネルギの節約のため、ある決められた非活動期間がすむと、自動的に停止状態になる。
【００６１】
当該技術者であれば、示されたばかりの説明から、請求項によって定義された本発明の範囲から逸脱することなく、携帯用電子装置と位置確認方法の複数の変形を考案することが可能である。この装置の無線周波数信号受信器は、ＧＬＯＮＡＳＳまたはＧＡＬＩＬＥＯナビゲーション・システムまたは別のナビゲーション・システムに利用することも可能である。さらに、方向指示手段は、隠されない最大数の可視衛星の捕捉に望ましい方位をユーザに知らせる音響装置によって形成することも可能である。望ましい方位は、電子装置のディスプレイ・モジュールだけに表示することが可能である。ユーザの決定位置において、ユーザの身体によって隠される衛星を探索するように設定された受信器のチャネルは、エネルギを節約するため、オフにされる。
【図面の簡単な説明】
【００６２】
【図１】例えば、ユーザの身体によって可視衛星の一部が隠される、地理的位置を確認するための電子装置の読み取り位置にある、本発明による前記電子装置を装着したユーザの略平面図である。
【図２】平面Ａにおいて、望ましい方位の相対位置への時間表示針の移動を示し、平面Ｂにおいて、装置を装着したユーザが回転する場合の、針の移動を示す、本発明による携帯用電子装置としての腕時計の平面図である。
【図３】図２の腕時計のIII−IIIに沿った略部分断面図である。
【図４】本発明による携帯用電子装置としての腕時計の各種電子ブロックの概略を示す図である。
【符号の説明】
【００６３】
１  腕時計、２  無線周波数信号受信及び整形手段、５  腕時計のガラス、６  液晶ディスプレイ・モジュール、７  針、９  制御ボタン、１１  マイクロプロセッサ・データ処理装置、１２  記憶手段、１３  無線周波数信号受信器、１５  コンパス
【図１】
2006322938.tif 000003
【図２】
2006322938.tif 000004
【図３】
2006322938.tif 000005
【図４】
2006322938.tif 000006